(57)【要約】      （修正有）【課題】倒れ角度の操作を室内面から容易に行える内倒し窓を提供する。【解決手段】幅広溝２２Ａと幅狭溝２２Ｂとが縦枠上下方向に連続する案内溝を形成し、この案内溝の幅広溝２２Ａの下端を障子における第１の開放限とし、幅狭溝２２Ｂの下端を第２の開放限とする。可動軸２１Ａを、幅狭溝２２Ｂの範囲で摺動可能に案内される小外径部と、この小外径部の下部に形成され、かつ幅広溝２２Ａの範囲で摺動可能に案内される大外径部と、この大外径部の下部に形成され、かつ大外径部よりもさらに大径の可動軸底部と、小外径部に遊貫され、かつ案内部材２２の表面を押圧する圧縮バネと、を有する構成とする。【選択図】図１
2008127803.tif 000002
【特許請求の範囲】
【請求項１】
アームと、内倒し窓の障子の縦框に取付られ、かつアームの一方端に取付けられた可動軸を上下方向に摺動可能とする案内部材と、窓枠の縦枠に取付けられ、かつアームの他方端を遊びをもって回動可能に支持する取付具と、を有する傾斜角度調整部と、
内倒し窓の障子の縦框の室内面に取付られた操作つまみと、この操作つまみを回動させることにより、可動軸を押圧する可動軸押圧片と、を有する操作部と、を備えた内倒し窓の傾斜角度調整装置であって、
案内部材は、幅広溝と幅狭溝とが縦枠上下方向に連続する案内溝を有し、
この案内溝の幅広溝の下端を障子における第１の開放限とし、幅狭溝の下端を第２の開放限とし、
可動軸は、幅狭溝の範囲で摺動可能に案内される小外径部と、この小外径部の下部に形成され、かつ幅広溝の範囲で摺動可能に案内される大外径部と、この大外径部の下部に形成され、かつ大外径部よりもさらに大径の可動軸底部と、小外径部に遊貫され、かつ案内部材の表面を押圧する圧縮バネと、を有し、
幅広溝の範囲では、大外径部が幅広溝内に摺動可能に案内されると共に、圧縮バネにより可動軸底部が案内部材の裏面に摺動可能に係止され、
幅狭溝の範囲では、小外径部が幅狭溝内に摺動可能に案内されると共に、圧縮バネにより大外径部が案内部材の裏面に摺動可能に係止され、
前記第１の開放限の位置で、操作つまみを回動させることにより、可動軸の大外径部と幅広溝との案内が解除され、その状態で障子をさらに傾けることで小外径部が幅狭溝に摺動可能に案内される構成である、
ことを特徴とする傾斜角度調整装置。
【請求項２】
請求項１記載の傾斜角度調整装置を備えた、
ことを特徴とする内倒し窓。
【発明の詳細な説明】
【技術分野】
【０００１】
本発明は、内倒し窓の傾斜角度調整装置及びこれを備えた内倒し窓に関するものである。
【背景技術】
【０００２】
一般的な内倒し窓は、窓枠を形成する下枠と障子を形成する下框とをヒンジで室内外側方向に傾動可能に連結している。そして、窓枠の縦枠と障子の縦框とを連結したアームを揺動させることで、障子の倒れ角度が小さい場合と大きい場合の二段階に開閉できるようになっている。
特許文献１に記載の発明では、アームの一端はスライダーに連結してあり、このスライダーは窓枠に固定したガイドレールで上下摺動可能に支持されている。ガイドレールの下端には、位置調整可能なストッパーが設けてある。他方、アームの他端は、障子に固定したブラケットに連結されている。そして、このアームの下部に設けられたラッチ機構を切り換え操作することにより、倒れ角度を調整し、障子の倒れ角度が小さい場合と大きい場合の二段階に開閉できるようになっている。
【特許文献１】特許３３０４０７４号公報
【発明の開示】
【発明が解決しようとする課題】
【０００３】
しかしながら、上記発明では、窓枠又は障子の室内面から操作できるものではなく、倒れ角度の調整が容易ではないという問題があった。
そこで、本発明の主たる課題は、倒れ角度の操作を室内面から容易に行える内倒し窓を提供することにある。
【課題を解決するための手段】
【０００４】
上記課題を解決した本発明は、次のとおりである。
＜請求項１記載の発明＞
請求項１記載の発明は、アームと、内倒し窓の障子の縦框に取付られ、かつアームの一方端に取付けられた可動軸を上下方向に摺動可能とする案内部材と、窓枠の縦枠に取付けられ、かつアームの他方端を遊びをもって回動可能に支持する取付具と、を有する傾斜角度調整部と、内倒し窓の障子の縦框の室内面に取付られた操作つまみと、この操作つまみを回動させることにより、可動軸を押圧する可動軸押圧片と、を有する操作部と、を備えた内倒し窓の傾斜角度調整装置であって、案内部材は、幅広溝と幅狭溝とが縦枠上下方向に連続する案内溝を有し、この案内溝の幅広溝の下端を障子における第１の開放限とし、幅狭溝の下端を第２の開放限とし、可動軸は、幅狭溝の範囲で摺動可能に案内される小外径部と、この小外径部の下部に形成され、かつ幅広溝の範囲で摺動可能に案内される大外径部と、この大外径部の下部に形成され、かつ大外径部よりもさらに大径の可動軸底部と、小外径部に遊貫され、かつ案内部材の表面を押圧する圧縮バネと、を有し、幅広溝の範囲では、大外径部が幅広溝内に摺動可能に案内されると共に、圧縮バネにより可動軸底部が案内部材の裏面に摺動可能に係止され、幅狭溝の範囲では、小外径部が幅狭溝内に摺動可能に案内されると共に、圧縮バネにより大外径部が案内部材の裏面に摺動可能に係止され、前記第１の開放限の位置で、操作つまみを回動させることにより、可動軸の大外径部と幅広溝との案内が解除され、その状態で障子をさらに傾けることで小外径部が幅狭溝に摺動可能に案内される構成である、ことを特徴とする傾斜角度調整装置である。
【０００５】
（作用効果）
可動軸は、幅狭溝の範囲で摺動可能に案内される小外径部と、この小外径部の下部に形成され、かつ幅広溝の範囲で摺動可能に案内される大外径部と、この大外径部の下部に形成され、かつ大外径部よりもさらに大径の可動軸底部と、小外径部に遊貫され、かつ案内部材の表面を押圧する圧縮バネと、を有し、幅広溝の範囲では、大外径部が幅広溝内に摺動可能に案内されると共に、圧縮バネにより可動軸底部が案内部材の裏面に摺動可能に係止され、幅狭溝の範囲では、小外径部が幅狭溝内に摺動可能に案内されると共に、圧縮バネにより大外径部が案内部材の裏面に摺動可能に係止され、前記第１の開放限の位置で、操作つまみを回動させることにより、可動軸の大外径部と幅広溝との案内が解除され、その状態で障子をさらに傾けることで小外径部が幅狭溝に摺動可能に案内される構成とすることで、第１の開放限での停止後、さらに開くための倒れ角度の操作が室内面で可能になり、倒れ角度の操作が容易に行うことができる。
また、窓を閉める方向に障子を戻せば、可動軸が幅狭溝内から幅広溝内へ移動し、圧縮バネにより大外径部が押し上げられて幅広溝内に復帰するので、閉める操作も容易である。
【０００６】
＜請求項２記載の発明＞
請求項２記載の発明は、請求項１記載の傾斜角度調整装置を備えた、ことを特徴とする内倒し窓である。
【発明の効果】
【０００７】
本発明によれば、倒れ角度の操作を室内面から容易に行える等の利点がもたらされる。
【発明を実施するための最良の形態】
【０００８】
以下、本発明の実施の形態を説明する。
本発明に係る内倒し窓の障子の傾斜角度調整装置１は、図９及び図１０に示すように、内倒し窓の窓枠５０に取付られた障子５１の倒れ角度を調整する傾斜角度調整部２と、この傾斜角度調整部２を障子５１の室内面から操作する操作部３と、を備えている。なお、図９の５２はラッチである。
【０００９】
このうち傾斜角度調整部２は、図１乃至図３に示すように、アーム２１と、障子５１の縦框５１Ａに取付られ、かつアーム２１の一方端に取付けられた可動軸２１Ａを縦框５１Ａの上下方向に摺動可能とする案内部材２２と、窓枠５０の縦枠５１Ａに取付けられ、かつアーム２１の他方端を遊びをもって回動可能に支持する取付具２３と、を有している。
【００１０】
可動軸２１Ａは、幅狭溝２２Ｂの範囲で摺動可能に案内される小外径部２１ａと、この小外径部２１ａの下部に形成され、かつ幅広溝２２Ａの範囲で摺動可能に案内される大外径部２１ｂと、この大外径部２１ｂの下部に形成され、かつ大外径部２１ｂよりもさらに大径の可動軸底部２１ｃと、小外径部２１ａに遊貫され、かつ案内部材２２の表面を押圧する圧縮バネ２１ｄと、を有している。
【００１１】
大外径部２１ｂは、案内部材２２の案内溝の上方の幅広溝２２Ａの範囲で摺動可能となっており、図１１に示すように、幅広溝２２Ａの下端（幅広溝２２Ａと幅狭溝２２Ｂとの境部分）が第１の開放限となり、一段階目の障子５０の倒れの停止が行なわれる。この停止は、障子５０の倒れ角度の小さい場合であり、換気等に小開きするときになされる。
【００１２】
一方、小外径部２１ａは案内溝の下方の幅狭溝２２Ｂの範囲で摺動可能となっており、幅狭溝２２Ｂの下端が第２の開放限となり、二段階目の障子５０の倒れの停止が行なわれる。この停止は、障子５０の倒れ角度の大きい場合であり、清掃等で大開きするときになされる。
【００１３】
圧縮バネ２１ｄには、その下部に押圧板２１ｅが取付られており、この押圧板２１ｅを介して案内部材２２の表面を押圧するようになっている。押圧板２１ｅは、小外径部２１ａに遊貫されており、圧縮バネ２１ｄにより案内部材２２の表面を押圧することで、可動軸２１Ａ自体を押し上げ、その結果、幅広溝２２Ａの範囲では、図３（１）に示すように、大外径部２１ｂが幅広溝内に摺動可能に案内されると共に、可動軸底部２１ｃが案内部材２２の裏面に摺動可能に係止され、他方、図３（２）に示すように、幅狭溝２２Ｂの範囲では、小外径部２１ａが幅狭溝２２Ｂ内に摺動可能に案内されると共に、大外径部２１ｂが案内部材２２の裏面に摺動可能に係止されるようになっている。
【００１４】
また、圧縮バネ２１ｄにより、障子５１を閉める方向に戻せば、可動軸２１Ａが幅狭溝２２Ｂ内から幅広溝２２Ａ内へ移動し、圧縮バネ２１ｄにより大外径部２１ｂが押し上げられて幅広溝２２Ａ内に復帰し、第１の開放限で停止させることができ、さらに障子５１を戻せば障子５１の閉止位置になる。
【００１５】
圧縮バネ２１ｄにより可動軸底部２１ｃや大外径部２１ｂが案内部材２２の裏面に係止されることにより、第１の開放限（例えば、２０°程度）及び第２の開放限（例えば、４５°程度）において障子５１のガタつきを抑制することもできる。
【００１６】
案内部材２２は、障子５１の縦框５１Ａにそれぞれ取付られており、前述したように、第１の開放限及び第２の開放限の二段階の倒れ角度に停止できるように、幅広溝２２Ａと幅狭溝２２Ｂとの溝幅の異なる案内溝を備えており、幅広溝２２Ａの範囲で大外径部２１ｂが摺動可能に案内され、幅狭溝２２Ｂの範囲で小外径部２１ａが摺動可能に案内されるものである。
【００１７】
取付具２３は、窓枠５０の縦枠５０Ａに取付けられ、かつアーム２１の他方端を遊びをもって回動可能に支持している。取付具２３は、取付具本体２３Ａと、取付具本体２３Ａの張出部２３Ｂに取付けられた固定ピン２３Ｃを備えており、アーム２１の他方端に形成された孔２１Ｂが固定ピン２３Ｃに遊貫されるようになっている。
【００１８】
次に、図４乃至図８に基づき操作部について以下に説明する。
操作部３は、内倒し窓の障子５１の縦框５１Ａの室内面に取付られた操作つまみ３１と、この操作つまみ３１を回動させることにより、可動軸２１Ａを押圧する可動軸押圧片３２と、を有している。
【００１９】
操作部３は、図９及び図１０に示すように、障子５１の左右の縦框５１Ａの室内面にそれぞれ取付られており、図４に示すように、この操作つまみ３１を回動させることにより（窓枠５０の縦枠５０Ａ側に回動させる）、揺動支点３３を中心として操作つまみ３１から延在した可動軸押圧片３２が可動軸２１Ａを押圧して押し下げることができるようになっている。操作つまみ３１は、手を離せば、バネ３４で常に復帰状態になるようになっている。同様に、押された可動軸２１Ａも圧縮バネ２１ｄにより常に復帰する方向に付勢されるようになっている。操作つまみ３１はバネにより通常の位置に復帰するため、障子５１を閉める方向に戻す際に、可動軸２１Ａの移動を妨げることはない。なお、図５乃至図７に示す符号３５は、操作つまみ３１の揺動支点３３を形成する揺動支点３３を軸支する軸支部材であり、符号３６はケースである。
【００２０】
操作部３により、一段目の倒れ角度停止後、さらに開くための倒れ角度の操作（二段目のスライド操作）が室内面で可能になり、倒れ角度の操作を容易に行うことができる。
【図面の簡単な説明】
【００２１】
【図１】傾斜角度調整部の平面図である。
【図２】その側面図である。
【図３】その正面図である。
【図４】傾斜角度調整部と操作部との関係を説明するための概要図である。
【図５】操作部の底面図である。
【図６】そのＩ−Ｉ断面図である。
【図７】そのＩＩ−ＩＩ断面図である。
【図８】その平面図である。
【図９】内倒し窓の室内側正面図である。
【図１０】その横断面図である。
【図１１】その障子の倒れ角度を説明するための縦側面図である。
【符号の説明】
【００２２】
１…傾斜角度調整装置、２…傾斜角度調整部、３…操作部、２１…アーム、２１Ａ…可動軸、２１Ｂ…孔、２１ａ…小外径部、２１ｂ…大外径部、２１ｃ…可動軸底部、２１ｄ…圧縮バネ、２１ｅ…押圧板、２２…案内部材、２２Ａ…幅広溝、２２Ｂ…幅狭溝、２３…取付具、２３Ａ…取付具本体、２３Ｂ…張出部、２３Ｃ…固定ピン、３１…操作つまみ、３２…可動軸押圧片、３３…揺動支点、３４…バネ、３５…軸支部材、３６…ケース、５０…窓枠、５１Ａ…縦枠、５１…障子、５１Ａ…縦框、５２…ラッチ。
【図１】
2008127803.tif 000003
【図２】
2008127803.tif 000004
【図３】
2008127803.tif 000005
【図４】
2008127803.tif 000006
【図５】
2008127803.tif 000007
【図６】
2008127803.tif 000008
【図７】
2008127803.tif 000009
【図８】
2008127803.tif 000010
【図９】
2008127803.tif 000011
【図１０】
2008127803.tif 000012
【図１１】
2008127803.tif 000013